(57)【要約】【課題】各避難所の避難人数、年齢比率や男女比等の避難状況に応じて適切に救援物資を分配することが可能な救援物資分配支援システムの提供。【解決手段】ユーザの基本属性を記憶する基本属性記憶手段２０と、避難所へのチェックイン情報としてユーザの基本属性を含めて情報共有プラットフォーム１へ送信するチェックイン手段２２と、チェックイン手段２２により送信されたチェックイン情報に基づき、避難所に関する情報として避難状況に関する情報を更新する避難状況更新手段１１と、管理者のコンピュータ３からの要求に基づき、避難状況に関する情報を提供する避難情報提供手段１３とを含む。【選択図】図２
2020135219.tif 000002
【特許請求の範囲】
【請求項１】
避難所に関する情報を収集および配信する情報共有プラットフォームと、
ユーザの携帯情報端末上で動作する避難誘導アプリケーションプログラムと
を含む救援物資分配支援システムであり、
前記避難誘導アプリケーションプログラムは、
ユーザの基本属性を記憶する手段と、
避難所へのチェックイン情報として前記ユーザの基本属性を含めて前記情報共有プラットフォームへ送信するチェックイン手段と
して前記携帯情報端末を機能させるためのプログラムであり、
前記情報共有プラットフォームは、
前記チェックイン手段により送信されたチェックイン情報に基づき、前記避難所に関する情報として避難状況に関する情報を更新する避難状況更新手段と、
管理者のコンピュータからの要求に基づき、前記避難状況に関する情報を提供する手段と
を含むものである
救援物資分配支援システム。
【請求項２】
避難所に関する情報を収集および配信する情報共有プラットフォームと、
避難誘導アプリケーションプログラムを実行するユーザの携帯電話端末と
を含む救援物資分配支援システムであり、
前記避難誘導アプリケーションプログラムは、
ユーザの基本属性を記憶する手段と、
避難所へのチェックイン情報として前記ユーザの基本属性を含めて前記情報共有プラットフォームへ送信するチェックイン手段と、
して前記携帯情報端末を機能させるためのプログラムであり、
前記情報共有プラットフォームは、
前記チェックイン手段により送信されたチェックイン情報に基づき、前記避難所に関する情報として避難状況に関する情報を更新する避難状況更新手段と、
管理者のコンピュータからの要求に基づき、前記避難状況に関する情報を提供する手段と
を含むものである
救援物資分配支援システム。
【発明の詳細な説明】
【技術分野】
【０００１】
本発明は、災害時における救援物資の分配を支援する救援物資分解支援システムに関する。
【背景技術】
【０００２】
津波発生時など緊急避難が必要な場合に、ユーザを安全な避難場所へ誘導する避難誘導システムが知られている（例えば、特許文献１参照。）。この避難誘導システムでは、災害情報配信サーバが、緊急避難が必要となる災害の情報を配信し、携帯情報端末が、災害情報配信サーバから配信された災害情報の受信をトリガとして自端末の現在位置を検出し、その現在位置情報を避難誘導サーバへ送信し、その後当該避難誘導サーバから送信されてきた避難経路情報により、自端末のユーザを避難誘導するためのナビゲーション処理を実行する。
【先行技術文献】
【特許文献】
【０００３】
【特許文献１】特開２０１０−２４４４０７号公報
【発明の概要】
【発明が解決しようとする課題】
【０００４】
上記従来の避難誘導システムでは、緊急避難が必要となる災害の情報の受信をトリガとして、携帯情報端末では、避難誘導サーバから取得した避難経路情報を用いた避難誘導のためのナビゲーション処理が開始されるようになっており、例えば津波発生時など緊急避難が必要となった場合に、ユーザを安全な避難場所へ速やかに誘導することが可能となっているが、これは単に安全な避難場所へ誘導するだけのものである。
【０００５】
ところで、災害時には、小学校や町民会館などに避難所が開設され、各避難所へ救援物資が届けられるが、各避難所の避難人数、年齢比率や男女比等を把握することに時間が掛かり、各避難所に適切な救援物資が届かないのが現状である。
【０００６】
そこで、本発明においては、各避難所の避難人数、年齢比率や男女比等の避難状況に応じて適切に救援物資を分配することが可能な救援物資分配支援システムを提供することを目的とする。
【課題を解決するための手段】
【０００７】
本発明の救援物資分配支援システムは、避難所に関する情報を収集および配信する情報共有プラットフォームと、ユーザの携帯情報端末上で動作する避難誘導アプリケーションプログラムとを含む救援物資分配支援システムであり、避難誘導アプリケーションプログラムは、ユーザの基本属性を記憶する手段と、避難所へのチェックイン情報としてユーザの基本属性を含めて情報共有プラットフォームへ送信するチェックイン手段として携帯情報端末を機能させるためのプログラムであり、情報共有プラットフォームは、チェックイン手段により送信されたチェックイン情報に基づき、避難所に関する情報として避難状況に関する情報を更新する避難状況更新手段と、管理者のコンピュータからの要求に基づき、避難状況に関する情報を提供する手段とを含むものである。
【０００８】
また、本発明の救援物資分配支援システムは、避難所に関する情報を収集および配信する情報共有プラットフォームと、避難誘導アプリケーションプログラムを実行するユーザの携帯情報端末とを含む救援物資分配支援システムであり、避難誘導アプリケーションプログラムは、ユーザの基本属性を記憶する手段と、避難所へのチェックイン情報としてユーザの基本属性を含めて情報共有プラットフォームへ送信するチェックイン手段として携帯情報端末を機能させるためのプログラムであり、情報共有プラットフォームは、チェックイン手段により送信されたチェックイン情報に基づき、避難所に関する情報として避難状況に関する情報を更新する避難状況更新手段と、管理者のコンピュータからの要求に基づき、避難状況に関する情報を提供する手段とを含むものである。
【０００９】
本発明の救援物資分配支援システムによれば、ユーザが避難所へ避難した際、ユーザの携帯電話端末のチェックイン手段により避難所へのチェックイン情報としてユーザの基本情報を含めて情報共有プラットフォームへ送信すると、情報共有プラットフォームは、このチェックイン手段により送信されたチェックイン情報に基づき、避難所に関する情報として避難状況に関する情報を更新する。そして、情報共有プラットフォームは、管理者のコンピュータからの要求に基づき、避難状況に関する情報を提供する。
【発明の効果】
【００１０】
本発明の救援物資分配支援システムによれば、ユーザが避難所へ避難した際、避難所へのチェックイン情報としてユーザの基本情報を含めて情報共有プラットフォームへ送信され、情報共有プラットフォームにより、管理者のコンピュータからの要求に対して避難状況に関する情報が提供されるので、管理者は各避難所の避難人数、年齢比率や男女比等の避難状況に応じて適切に救援物資を分配することが可能となる。
【図面の簡単な説明】
【００１１】
【図１】本発明の実施の形態における避難誘導システムの概略構成図である。
【図２】図１の避難誘導システムのブロック図である。
【図３】本発明の実施の形態における避難誘導システムの利用イメージを示すフロー図である。
【図４】ユーザの基本属性の登録画面の例を示す図である。
【図５】情報共有プラットフォームから携帯情報端末へ提供する避難所情報提供画面の例を示す図である。
【図６】携帯情報端末に表示されるチェックイン画面の例を示す図である。
【図７】避難状況表示画面の例を示す図である。
【図８】各避難所への救援物資の分配の様子を示すイメージ図である。
【発明を実施するための形態】
【００１２】
図１は本発明の実施の形態における避難誘導システムの概略構成図、図２は図１の避難誘導システムのブロック図である。
【００１３】
図１において、本発明の実施の形態における救援物資分配支援システムとしての避難誘導システムは、避難所に関する情報を収集および配信する情報共有プラットフォーム１と、ユーザの携帯情報端末２上で動作する避難誘導アプリケーションプログラム（図示せず。）とを含む。情報共有プラットフォーム１は、情報を一元的かつ複数の関係者（ユーザや管理者等）で共有するための手段であり、例えばクラウドサービス上に構築したり、物理サーバ上に構築したりすることができる。図１に示すように、自治体の管理者等は、コンピュータ３により情報共有プラットフォーム１に接続可能となっている。
【００１４】
避難誘導アプリケーションプログラムは、ユーザの携帯情報端末２上で実行されることにより、ユーザの携帯情報端末２を、図２に示す基本属性記憶手段２０と、避難所情報取得手段２１と、避難所へのチェックイン処理を指示するチェックイン手段２２として機能させるためのプログラムである。避難誘導アプリケーションプログラムは、予めユーザの携帯情報端末２上へダウンロードされる。携帯情報端末２は、例えば現在の位置情報を取得可能なスマートフォンである。
【００１５】
基本属性記憶手段２０は、ユーザの基本属性を記憶する手段である。ユーザの基本属性とは、後述するように各避難所への詳細な避難状況を把握するため、および、各避難所へ必要な救援物資を届けるため、各避難所に避難している人の年齢比率や男女比等を算出するのに必要な年代（年齢）や性別等の基本情報である。このユーザの基本属性は、避難誘導アプリケーションプログラムによって登録しておく。
【００１６】
避難所情報取得手段２１は、携帯情報端末２の位置情報を情報共有プラットフォーム１へ送信して避難所に関する情報の要求を行い、情報共有プラットフォーム１から避難所に関する情報を取得する手段である。
【００１７】
チェックイン手段２２は、避難所へのチェックイン情報を情報共有プラットフォーム１へ送信する手段である。避難所へのチェックイン情報とは、ユーザが各避難所へ避難していることを示す情報である。また、チェックイン手段２２は、チェックイン情報としてユーザの基本属性を情報共有プラットフォームへ送信する。
【００１８】
情報共有プラットフォーム１は、図２に示すように、避難所に関する情報を記憶する避難所情報記憶手段１０と、避難所に関する情報として避難状況に関する情報を更新する避難状況更新手段１１と、携帯情報端末２の避難所情報取得手段２１からの要求に対して避難所に関する情報を送信する避難所情報送信手段１２とを含む。
【００１９】
避難所情報記憶手段１０に記憶する避難所に関する情報は、各避難所の位置（住所）、収容可能人数や避難状況に関する情報である。避難状況に関する情報とは、各避難所に避難している避難者の人数（避難人数）、年代（年齢）や男女比等である。
【００２０】
避難状況更新手段１１は、チェックイン手段２２により送信されたチェックイン情報に基づき、避難所に関する情報として避難状況に関する情報（避難人数、年代（年齢）、男女比等）を更新する手段である。
【００２１】
避難所情報送信手段１２は、避難所情報取得手段２１からの避難所に関する情報の要求に対して、携帯情報端末２の位置情報に基づいて最寄りの避難所に関する情報を送信する手段である。また、避難所情報送信手段１２は、携帯情報端末２の位置情報に基づく最寄りの避難所の避難状況に関する情報によっては（例えば、最寄りの避難所が収容人数を超えている場合等）、最寄りの避難所に近い別の避難所に関する情報を送信する。
【００２２】
また、情報共有プラットフォーム１は、管理者のコンピュータ３からの要求に基づき、避難状況に関する情報を提供する避難情報提供手段１３を備える。
【００２３】
以下、上記構成の避難誘導システムの利用手順について図３のフロー図に従って説明する。図３は本発明の実施の形態における避難誘導システムの利用イメージを示すフロー図である。
【００２４】
まず、本避難誘導システムのユーザである住民は、各自の携帯情報端末２上に避難誘導アプリケーションプログラム（以下、「避難誘導アプリ」と称す。）をダウンロードおよび実行し、ユーザの基本属性の登録を行う（Ｓ１００）。図４はユーザの基本属性の登録画面の例を示している。ユーザは、携帯情報端末２上で避難誘導アプリを実行し、図４に示す基本属性登録画面から年代（年齢）、性別や住所（都道府県、市区町村など）の基本情報を登録する。登録された基本情報は、基本属性記憶手段２０に記憶される。
【００２５】
災害発生によりユーザが避難する際、各自の携帯情報端末２の避難誘導アプリを実行し、避難所の確認を行う（Ｓ１０１）。このとき、避難誘導アプリは、携帯情報端末２の位置情報を取得し、この位置情報を避難所情報取得手段２１により情報共有プラットフォーム１へ送信して避難所に関する情報の要求を行う。
【００２６】
情報共有プラットフォーム１は、この要求に対し、携帯情報端末２の位置情報に基づいて最寄りの避難所に関する情報を避難所情報記憶手段１０から取得し、携帯情報端末２へ送信して、最寄りの避難所へ自動的に誘導する（Ｓ１０２）。このとき、情報共有プラットフォーム１は、最寄りの避難所の避難状況に関する情報によっては最寄りの避難所に近い別の避難所に関する情報を送信する。
【００２７】
図５は情報共有プラットフォーム１から携帯情報端末２へ提供する避難所情報提供画面の例を示している。詳細は後述するが、情報共有プラットフォーム１は、各避難所へ避難したユーザの携帯情報端末２のチェックイン手段２２により送信されたチェックイン情報に基づき、避難所に関する情報として避難状況に関する情報を更新しており、図５に示すように、各避難所の避難状況（収容可能人数に対する避難人数の状況など）に関する情報に基づいて最寄りの避難所に次に近い避難所に関する情報を送信し、誘導する。
【００２８】
ユーザは、情報共有プラットフォーム１から携帯情報端末２に取得した避難所に関する情報に基づいて避難所へ避難し、ユーザの携帯情報端末２のチェックイン手段２２により避難所へのチェックインを行う（Ｓ１０３）。図６は携帯情報端末２に表示されるチェックイン画面の例を示している。携帯情報端末２の画面には、携帯情報端末２の位置情報に基づいて特定された避難所の名称５０とともにチェックインボタン５１が表示される。
【００２９】
ここで、ユーザがチェックインボタン５１をタップすると、チェックイン手段２２は、避難所へのチェックイン情報を情報共有プラットフォーム１へ送信する。なお、図６に示すように、チェックインの際に、同伴者情報をチェックイン情報に含めて送信することも可能である。情報共有プラットフォーム１は、このチェックイン手段２２により送信されたチェックイン情報に基づき、避難所情報記憶手段１０に記憶する避難所に関する情報として避難状況に関する情報を避難状況更新手段１１により更新する。
【００３０】
これにより、情報共有プラットフォーム１では、各避難所の収容可能人数に対する避難人数などの各避難所の避難状況を把握しているので、前述のように、情報共有プラットフォーム１は、最寄りの避難所の避難状況に関する情報によっては最寄りの避難所に近い別の避難所に関する情報を送信して、避難所への最適な誘導をリアルタイムで行うことが可能となっている（Ｓ１０４）。
【００３１】
また、この避難誘導システムでは、ユーザが避難所へ避難し、ユーザの携帯情報端末２のチェックイン手段２２により避難所へのチェックイン情報を情報共有プラットフォーム１へ送信する際に、チェックイン情報としてユーザの基本属性を含めて送信するので、情報共有プラットフォーム１により各避難所の避難状況に関する情報としてユーザの基本属性を含めて共有することが可能となっている。
【００３２】
図７は避難状況表示画面の例を示している。自治体の管理者がコンピュータ３により情報共有プラットフォーム１に接続して、避難状況に関する情報を要求すると、情報共有プラットフォーム１はこのコンピュータ３からの要求に基づき、図７に示すように避難状況に関する情報を提供する。図７に示すように、コンピュータ３に提供される避難状況に関する情報には、各避難所の避難人数、年齢比率や男女比等が含まれる。
【００３３】
自治体の管理者は、この各避難所の避難人数、年齢比率や男女比等の避難状況に応じて適切に救援物資を分配する（Ｓ１０５）。図８は各避難所への救援物資の分配の様子を示すイメージ図である。図８に示すように自治体の管理者は、例えばＡ避難所には２歳未満の乳幼児が多いことからオムツを多めに分配したり、Ｂ避難所には成人男性が多いことから食料を多めに分配したりすることが可能である。
【産業上の利用可能性】
【００３４】
本発明の救援物資分配支援システムは、災害時における救援物資の分配を支援する救援物資分配支援システムとして有用であり、特に、各避難所の避難人数、年齢比率や男女比等の避難状況に応じて適切に救援物資を分配することが可能な救援物資分配支援システムとして好適である。
【符号の説明】
【００３５】
１  情報共有プラットフォーム
２  携帯情報端末
３  コンピュータ
１０  避難所情報記憶手段
１１  避難状況更新手段
１２  避難所情報送信手段
１３  避難情報提供手段
２０  基本属性記憶手段
２１  避難所情報取得手段
２２  チェックイン手段
【図１】
2020135219.tif 000003
【図２】
2020135219.tif 000004
【図３】
2020135219.tif 000005
【図４】
2020135219.tif 000006
【図５】
2020135219.tif 000007
【図６】
2020135219.tif 000008
【図７】
2020135219.tif 000009
【図８】
2020135219.tif 000010